(57)【要約】【課題】簡単な操作で常時定数の粒状物を取り出すことができ、しかも構造が簡単て製造も容易であり、安価に得られる粒状物容器を提案するものである。【解決手段】内部下部を収納室Ａに画成し、その上に収納室と連通し側方に取り出し口６を有する計量室Ｂを画成した容器体２と、該容器体上に開閉可能に設けた蓋体３とを備え、蓋体３より上記取出口を遮断する遮断壁７を設けた。そして、容器を傾倒或いは倒立させることにより収納室内の粒状物を計量室内へ導入して計量した際に遮断壁７の存在でその飛び出しを確実に防止でき、定数の粒状物を取り出すことができる如く構成した。【選択図】図１
2004175426.tif 000002
【特許請求の範囲】
【請求項１】
内部下部を粒状物収納用の収納室Ａに画成するとともに、該収納室Ａ上に、該収納室Ａと連通し且つ側方に粒状物取出口６を有する計量室Ｂを画成してなる容器体２と、該容器体２上に開閉可能に設けた蓋体３とを備え、上記計量室Ｂは定数の粒状物４を収納するスペースを有するとともに、上記蓋体３より上記粒状物取出口６を遮断して計量した粒状物の飛び出しを防止する遮断壁７を垂設してなることを特徴とする粒状物容器。
【請求項２】
上記計量室Ｂが、上記収納室Ａの頂部の区画壁１２に穿設した粒状物粒状物導入口５周縁部より立設した有頂半筒状の隔壁１３により画成され、半筒状の周囲開口部を上記粒状物取出口として構成してなる請求項１記載の粒状物容器。
【請求項３】
上記蓋体３が開くの防止する帯状のシール材２１を剥ぎ取り可能に設けてなる請求項１記載の粒状物容器。
【請求項４】
内部下部を粒状物収納用の収納室Ａに画成するとともに、該収納室Ａ上に、該収納室Ａと連通し且つ側方に粒状物取出口６を有する計量室Ｂを画成してなる容器体２と、該容器体２上に開閉可能に設けた蓋体３とを備え、上記計量室Ｂは定数の非球状粒状物４を収納するスペースを備えてなることを特徴とくる粒状物容器。
【発明の詳細な説明】
【０００１】
【発明の属する技術分野】
本発明は粒状物容器に関する。
【０００２】
【従来の技術】
粒状物容器として、簡単な操作で定量の錠剤を取り出すことが出来るものが提案されている（例えば、特許文献１参照）。
【０００３】
ここに示されている錠剤容器は、容器体口頸部外周に嵌合させた周壁上端縁より内方へ、口頸部上端開口の前部を被覆する計量皿を延設してなるキャップ本体と、本体上面を開閉可能に閉塞する蓋体とを備え、また、口頸部内後部に後部を回動可能に連結した揺動蓋板を上下揺動可能に設け、蓋体と揺動蓋板を連結棒で連係させて、閉蓋時に於ける計量皿との間に錠剤の通過が可能な隙間をあけた状態と、開蓋時における錠剤の通過が不能な状態との間を、蓋体の開閉に伴って揺動蓋板が揺動する如く構成している。
【０００４】
上記錠剤容器は、簡単な操作で所定量の錠剤を定量することができ、また、開蓋した際に容器体内の余分な錠剤の飛び出しを防止でき、次いで容器を傾ければ計量した所定量の錠剤を取り出すことができて極めて使い勝手の良いものである。
【０００５】
【特許文献１】
特開平１１−２０８７０３号公報（第２−４頁，図１）
【０００６】
【発明が解決しようとする課題】
本発明は上記した従来の粒状物容器の特徴を備えつつ、しかも更に改良を加えたものである。即ち、上記効果に加え、構造が極めて簡単で製造上、経済上のメリットを備えた粒状物容器を提案するものである。
【０００７】
【課題を解決するための手段】
本請求項１発明の粒状物容器は、上記課題を解決するため、内部下部を粒状物収納用の収納室Ａに画成するとともに、該収納室Ａ上に、該収納室Ａと連通し且つ側方に粒状物取出口６を有する計量室Ｂを画成してなる容器体２と、該容器体２上に開閉可能に設けた蓋体３とを備え、上記計量室Ｂは定数の粒状物４を収納するスペースを有するとともに、上記蓋体３より上記粒状物取出口６を遮断して計量した粒状物の飛び出しを防止する遮断壁７を垂設してなることを特徴とする粒状物容器として構成した。
【０００８】
また、請求項２発明の粒状物容器は、上記計量室Ｂが、上記収納室Ａの頂部の区画壁１２に穿設した粒状物粒状物導入口５周縁部より立設した有頂半筒状の隔壁１３により画成され、半筒状の周囲開口部を上記粒状物取出口として構成してなる請求項１記載の粒状物容器として構成した。
【０００９】
また、請求項３発明の粒状物容器は、上記蓋体３が開くの防止する帯状のシール材２１を剥ぎ取り可能に設けてなる請求項１記載の粒状物容器として構成した。
【００１０】
また、請求項４発明の粒状物容器は、内部下部を粒状物収納用の収納室Ａに画成するとともに、該収納室Ａ上に、該収納室Ａと連通し且つ側方に粒状物取出口６を有する計量室Ｂを画成してなる容器体２と、該容器体２上に開閉可能に設けた蓋体３とを備え、上記計量室Ｂは定数の非球状粒状物４を収納するスペースを備えてなることを特徴とくる粒状物容器として構成した。
【００１１】
【発明の実施の形態】
以下、本発明の実施例の形態を図面を参照して説明する。
【００１２】
図面に示す如く本発明の粒状物容器１は、容器体２と蓋体３とを備えている。
【００１３】
容器体２は、内部下部を粒状物４を収納する収納室Ａに画成するとともに、該収納室Ａ上に、粒状物導入口５を介して収納室Ａ内と連通し且つ側方に粒状物取出口６を有する計量室Ｂを画成している。上記計量室Ｂは、定数の粒状物を収納するスペースを有している。そして、粒状物容器１を傾倒或いは倒立させることにより収納室Ａ内の粒状物４が粒状物導入口５より計量室Ｂ内に導入され計量される如く構成している。
【００１４】
収納する粒状物４は種々の形態のものが採用でき、その形状，大きさ等にあわせて計量室Ｂの大きさ，形状等を適宜選択する。収納する粒状物４の形状として、球状のもの、或いは非球状のものが採用でき、非球状のものとして、図２或いは図１１にある如き偏平状のものや、図示しないが正多面体、或いは異形立体形など種々のものが採用できる。
【００１５】
また、上記定数とは、１又は２以上の複数をさし、収納粒状物の種類等に応じて定める。従って、上記定数が１、つまり計量室Ｂ内に一つの粒状物を収納するスペースを備える場合と、定数が複数、つまり計量室Ｂ内に複数の粒状物を収納するスペースを備える場合とがあり、また、それぞれに粒状物４が球状、非球状の場合があり、それぞれで収納するスペース形態が異なる。
【００１６】
▲１▼単数の場合で
ｉ）粒状物４が球状の場合
この場合には粒状物容器１を傾倒させた状態で計量室Ｂから摘んで取り出せる如く、粒状物取出口６の開口幅を大きく取る。例えば１８０度開口幅の取出口とする。
ｉｉ）粒状物４が非球状の場合
この場合には上記ｉ）の場合の外、粒状物容器１を倒立させた状態でもころがり落ちる虞が少ないため、粒状物４の先端面が臨む大きさの粒状物取出口６とすることもできる。
▲２▼複数の場合で
ｉ）粒状物４が球状の場合
この場合には各粒状物４を計量室内に縦列させる如く構成し、容器を傾倒して粒状物が上方を向く状態で計量室から摘んで取り出せる如く粒状物取出口６の開口幅を大きく取る。
ｉｉ）粒状物４が非球状の場合
この場合には上記▲２▼−ｉ）の場合の外、各粒状物４を計量室内に並列させる如く構成し、粒状物４の先端面が臨む大きさの粒状物取出口６とすることもできる。
【００１７】
蓋体３は容器体２上に開閉可能に設けたものである。また、蓋体３には図１に示す如く、粒状物取出口６を遮断する遮断壁７を垂設しても良い。
【００１８】
図１に示す実施例は、上記▲１▼−ｉｉ）の場合の一例を示し、一つの偏平状粒状物を容器体２に対して縦向きに収納するスペースを有する計量室Ｂを設けた場合を示す。本実施例に於いて、収納した粒状物４は図２の平面図（ａ）  、側面図（ｂ）  、正面図（ｃ）  で示す如き偏平状の平面視矩形状をなすものであり、また、容器体２は筒状の胴部８上端縁よりやや小径の口頸部９を起立して構成している。
【００１９】
また、上記収納室Ａは容器体２に中蓋１０を嵌着することによりその下方に画成している。中蓋１０は、上記口頸部９内周に嵌合させた嵌合筒１１の下端縁より上下を区画する区画壁１２を延設し、該区画壁１２の前部に穿設した粒状物導入口５の周縁部より上方に上記計量室Ｂを画成する有頂半筒状の隔壁１３を立設し、その後方へ向けた開口部分を上記粒状物取出口６として構成している。また、区画壁１２は周縁より粒状物導入口５に向かって傾斜上昇しており、粒状物容器１の傾倒或いは倒立の際に粒状物４を粒状物粒状物導入口５に誘導し易く構成している。
【００２０】
蓋体３は、容器体２に一端を回動可能に連結して容器体２上に開閉可能に設けたものであり、容器体２の口頸部９外周上端部に突条相互の乗越え係合により抜け出しを防止して嵌合させたリング体１４の後部と、該リング体上方の口頸部外周上端部に嵌合させた周壁１５の後部とを短帯状の薄肉ヒンジ１６により回動可能に連結している。また、周壁１５は、フランジ部１７を介して上部を縮径し、その上端縁より頂壁１８を延設している。更に、フランジ部１７内周縁部より下方へ、上記中蓋１０の嵌合筒１１内周に嵌合させたシール筒１９を垂設している。また、シール筒１９の後部より下方へ、開蓋の際に容器体２後部に係合して開蓋状態を維持する係合突部２０を突設している。
【００２１】
また、上記遮断壁７は計量された粒状物が外方へ飛び出すのを防止しひいては計量ミスをより確実に防止するために設けたので、蓋体頂壁１８前部所定位置より上記粒状物粒状物取出口６後方位置へ垂設している。
【００２２】
また、本実施例では、蓋体３が開くのを防止する帯状のシール材２１を剥ぎ取り可能に設けている。このシール材２１は、上記薄肉ヒンジ１６部分を除いたリング体１４の上面と蓋体周壁１５の下面とを、上下をミシン目等のにより容易に破断できる如く連結しており、このシール材２１を破断除去することにより蓋体３の開閉が可能となる如く構成している。
【００２３】
上記の如く構成した粒状物容器１の使用形態の一例を挙げれば、まず、図１の状態からシール材２１を破断除去して開封する。次いで、容器を倒立させて粒状物４を計量室Ｂ内に導入する。この際遮断壁７の存在で粒状物４が粒状物取出口６より飛び出す虞はない。次いで、図６に示す如く蓋体３を開いた後容器体２を回動させて側方に粒状物を取り出すことができ、或いは粒状物４を摘み取ることができる。この場合、粒状物取出口６の開口幅が広いため容易に摘みとることができる。
【００２４】
図７は他の実施例を示し、本実施例では中蓋１０と蓋体３とを一体に形成するとともに、一つの偏平状粒状物４を横向きで収納するスペースを備えた計量室Ｂを設けている。
【００２５】
上記中蓋１０は、口頸部９内周に嵌合させた嵌合筒１１の上端縁より口頸部９上面にフランジ２２を延設するとともに、フランジ２２外周縁より口頸部９外周に嵌合した外嵌合筒２３を垂設している。また、計量室Ｂは、嵌合筒１１内周下部に掛け渡した区画壁１２上の後部に形成している。区画壁１２の後部左右方向中央部には図８に示す如き矩形状の粒状物導入口５を穿設しており、この粒状物導入口５周縁より後部を上記嵌合筒１１と共有する箱型の隔壁１３を立設けてその内部を計量室Ｂとして構成している。そしてその前端開口部分を上記粒状物取出口６として構成している。この計量室Ｂには図１１に示す如く、一つの偏平状粒状物４が容器体２に対して横向きの状態で収納される如く構成している。尚、区画壁１２は同様に粒状物導入口５に向かった傾斜上昇する如く構成している。
【００２６】
蓋体３は、中蓋１０の上記フランジ２２上面に立設した支持筒２４の外周に嵌合させた周壁１５上端縁より頂壁１８を延設した伏せ皿状をなし、周壁１５の後部と上記フランジ２２後部とを薄肉ヒンジ２６により連結して開閉可能に設けている。また、頂壁１８周縁部所定位置より垂設したシール筒１９の下端部を上記嵌合筒１１の内周に嵌合させ、更に、頂壁１８の所定位置より上記粒状物取出口６前方に位置する遮断壁７を垂設している。
【００２７】
また、本実施例でも蓋体３が開くのを防止する帯状のシール材２１を剥ぎ取り可能に設けている。このシール材２１は、蓋体周壁１５の前部外周にそって円弧状に設けられ、下端縁を中蓋１０のフランジ２２外周縁に部分的に連結し、その連結部分が比較的容易に切断できる如く構成している。また、前部において蓋体３の指掛け片２７が嵌合する嵌合孔を穿設し、シール材２１を除去しないと開蓋ができないように構成している。
【００２８】
上記の如く構成した粒状物容器１を使用するに当たっては、例えば図７の状態からシール材２１を取り除いて開封し、次いで容器を図１１の如く倒立させて粒状物４を計量室Ｂ内に導入する。この際遮断壁７の存在で粒状物４が粒状物取出口６より飛び出すのを確実に防止する。次いで、図１２に示す如く蓋体３を開いた倒立容器前部が下方となる如く傾斜させると、計量した粒状物４を取り出すことができる。
【００２９】
図１３は更に他の実施例を示し、本実施例では上記図７の実施例に於いて遮断壁７を設けなかった以外は同様構成である。一つの偏平状粒状物４を横向きに収納するスペースを備えた計量室Ｂであるため、遮断壁７がなくても容器を倒立させた際に安定的に粒状物４を計量室Ｂ内に収納でき、図７の実施例の如き確実性はないが、その飛び出しを防止できる。そして、その状態から容器を傾ければ計量された粒状物４が取り出せる。
【００３０】
尚、上記各実施例に於いて、各部材は合成樹脂により形成すると良い。
【００３１】
【発明の効果】
以上説明した如く、本発明の粒状物容器は、既述構成としたことにより、簡単な操作により定数の粒状物を取り出すことができ、また、容器を傾倒或いは倒立させて収納室の粒状物を計量室に導入した際に遮断壁の存在で計量室から計量した粒状物が飛び出すのを確実に防止でき、しかも構造が簡単で、製造も容易であり安価に得られる利点がある。
【００３２】
また、収納室からの導入孔周縁部に立設した有頂半筒状の隔壁により画成されるとともに、半筒状の周囲開口部を粒状物取出口として構成したものにあっては、粒状物取出口が広いため計量された粒状物を容易に取り出すことができ、また、粒状物を容易に摘み取ることもできる利点がある。
【００３３】
また、上記蓋体が開くのを防止する帯状のシール材を剥ぎ取り可能に設けたものにあっては、その存在により容器が未開封であることを明瞭に把握でき、商品価値を高めるものである。
【００３４】
また、内部下部を粒状物収納用の収納室に画成するとともに、該収納室上に、該収納室と連通し且つ側方に粒状物取出口を有する計量室を画成してなる容器体と、該容器体上に開閉可能に設けた蓋体とを備え、上記計量室は定数の非球状粒状物を収納するスペースを備えてなるものにあっては、上記と同様に簡単な操作により定数の粒状物を取り出すことができ、しかも構造が簡単で、製造も容易であり安価に得られる利点がある。
【図面の簡単な説明】
【図１】本発明の一実施例を示す縦断面図である。
【図２】同実施例の容器に収納する粒状物の平面図，側面図，正面図である。
【図３】同実施例に於ける中蓋を示す縦断面図である。
【図４】同実施例に於ける中蓋を示す平面図である。
【図５】同実施例に於ける中蓋を示す底面図である。
【図６】同実施例に於ける計量した状態の縦断面図である。
【図７】本発明の他の実施例を示す縦断面図である。
【図８】同実施例に於ける中蓋を示す底面略図である。
【図９】同実施例の平面図である。
【図１０】同実施例の側面図である。
【図１１】同実施例に於ける計量した状態の縦断面図である。
【図１２】同実施例に於ける計量粒状物を取り出す状態の縦断面図である。
【図１３】本発明の更に他の実施例を示す縦断面図である。
【符号の説明】
２…容器体，３…蓋体，４…粒状物，５…粒状物導入口，
６…粒状物取出口，７…遮断壁，１２…区画壁，１３…隔壁，２１…シール材，
Ａ…収納室，Ｂ…計量室
【図１】
2004175426.tif 000003
【図２】
2004175426.tif 000004
【図３】
2004175426.tif 000005
【図４】
2004175426.tif 000006
【図５】
2004175426.tif 000007
【図６】
2004175426.tif 000008
【図７】
2004175426.tif 000009
【図８】
2004175426.tif 000010
【図９】
2004175426.tif 000011
【図１０】
2004175426.tif 000012
【図１１】
2004175426.tif 000013
【図１２】
2004175426.tif 000014
【図１３】
2004175426.tif 000015